(57)【特許請求の範囲】
【請求項１】
人体の首に装着できる携帯送風装置であって、ブラケット（１０）と、前記ブラケット（１０）内に設けられたファン（２０）とを含み、前記ブラケット（１０）内には、前記ファン（２０）を収容するための収容室（１０１）、及び前記収容室（１０１）と連通する風路（１０２）とが設けられ、前記ブラケット（１０）には、前記ファン（２０）に対応する入風口（１０３）がさらに設けられ、前記風路（１０２）の側壁には、風吹出口（１０４）が設けられ、前記風路（１０２）内には導風部材（１４）が設けられ、前記導風部材（１４）は、前記風路（１０２）を第１風路（１０２ａ）と第２風路（１０２ｂ）に分割し、前記第１風路（１０２ａ）及び前記第２風路（１０２ｂ）の側壁にはいずれも前記風吹出口（１０４）が設けられ、前記導風部材（１４）は、第１導風板（１４１）と第２導風板（１４２）を含み、前記ファン（２０）に近い前記第１導風板（１４１）と前記第２導風板（１４２）の端部は互いに接続され、前記ファン（２０）から離れた前記第１導風板（１４１）と前記第２導風板（１４２）の端部は、それぞれ前記風路（１０２）の側壁に接続され、
前記第１導風板（１４１）と前記風路（１０２）の側壁の間には前記第１風路（１０２ａ）が形成され、前記第２導風板（１４２）と前記風路（１０２）の側壁の間には前記第２風路（１０２ｂ）が形成され、
前記ファン（２０）の作動により発生する風は、前記第１導風板（１４１）と前記第２導風板（１４２）とが互いに接続する一端により分けられて、それぞれ前記第１風路（１０２ａ）と前記第２風路（１０２ｂ）に進入し、且つ前記風吹出口（１０４）から吹き出されることを特徴とする携帯送風装置。
【請求項２】
前記第１風路（１０２ａ）の容積は、前記第２風路（１０２ｂ）の容積よりも小さい、ことを特徴とする請求項１に記載の携帯送風装置。
【請求項３】
前記第２風路（１０２ｂ）内には、ガイドベーン（１５）がさらに設けられる、ことを特徴とする請求項２に記載の携帯送風装置。
【請求項４】
前記ガイドベーン（１５）は湾曲状を呈し、湾曲方向は、前記第２導風板（１４２）から離反し、前記ファン（２０）に近い前記ガイドベーン（１５）の端部は、前記ファン（２０）から離れた前記ガイドベーン（１５）の端部よりも高いか、あるいは、前記ガイドベーン（１５）はストレートな板状を呈し、前記ファン（２０）に近い前記ガイドベーン（１５）の端部は、前記ファン（２０）から離れた前記ガイドベーン（１５）の端部よりも高い、ことを特徴とする請求項３に記載の携帯送風装置。
【請求項５】
前記ブラケット（１０）は第１筐体（１１）、第２筐体（１２）、及び前記第１筐体（１１）と前記第２筐体（１２）を接続する接続部（１３）を含み、前記第１筐体（１１）及び前記第２筐体（１２）内には、それぞれファン（２０）、収容室（１０１）、風路（１０２）、導風部材（１４）が設けられ、前記接続部（１３）内には半導体温度調整装置が設けられ、該半導体温度調整装置は、前記接続部（１３）内に設けられた放熱部材（５１）、前記接続部（１３）の内側壁に設けられた熱伝導部材（５２）、前記放熱部材（５１）と前記熱伝導部材（５２）との間に粘着された半導体冷却シート（５３）、及び前記放熱部材（５１）の一端に設けられた放熱ファン（５４）を含む、ことを特徴とする請求項１〜４のいずれか一項に記載の携帯送風装置。
【請求項６】
前記第１風路（１０２ａ）は、前記ファン（２０）から離れた端部から前記ファン（２０）に向かって徐々に大きくなり、前記第２風路（１０２ｂ）は、前記ファン（２０）から離れた端部から前記ファン（２０）に向かって徐々に大きくなる、ことを特徴とする請求項１〜４のいずれか一項に記載の携帯送風装置。
【請求項７】
前記ファン（２０）の軸心と前記収容室（１０１）の中心とは互いに偏心して配置され、前記ファン（２０）と前記収容室（１０１）の側壁との間に隙間（１０５）が形成され、前記隙間（１０５）は、前記ファン（２０）の回転方向に沿って徐々に広くなり、前記隙間（１０５）の両端の開口のうちの大きい方の開口が、前記第１風路（１０２ａ）に向いている、ことを特徴とする請求項１〜４のいずれか一項に記載の携帯送風装置。
【請求項８】
前記第１風路（１０２ａ）と前記第２風路（１０２ｂ）との間にキャビティ（１０６）が形成される、ことを特徴とする請求項１〜４のいずれか一項に記載の携帯送風装置。
【請求項９】
前記携帯送風装置は電池（３０）をさらに含み、前記ブラケット（１０）内には、隔離板（１６）と収容キャビティ（１０７）がさらに設けられ、前記隔離板（１６）は、前記風路（１０２）と前記収容キャビティ（１０７）を隔離し、前記電池（３０）は、前記収容キャビティ（１０７）内に配置され、前記ファン（２０）に電気的に接続される、ことを特徴とする請求項１〜４のいずれか一項に記載の携帯送風装置。
【請求項１０】
前記導風部材（１４）は、前記第１導風板（１４１）と前記第２導風板（１４２）を接続する接続板（１４３）をさらに含む、ことを特徴とする請求項１〜４のいずれか一項に記載の携帯送風装置。
【請求項１１】
前記接続板（１４３）と前記風路（１０２）の側壁との一方には位置決め柱（１８）が形成され、他方には位置決め孔（１９）が形成され、前記位置決め柱（１８）と互いに装着によって接続される、ことを特徴とする請求項１０に記載の携帯送風装置。
【請求項１２】
前記第１導風板（１４１）と前記第２導風板（１４２）はそれぞれ２つの部分によって構成され、前記ファン（２０）に近い前記第１導風板（１４１）と前記第２導風板（１４２）の部分は、前記接続板（１４３）に接続され、前記ファン（２０）から離れた前記第１導風板（１４１）と前記第２導風板（１４２）の部分は、前記風路（１０２）の側壁に一体的に接続され、前記ファン（２０）に近い前記第１導風板（１４１）と前記第２導風板（１４２）の部分の末端には、係合部（１４５）が設けられ、前記ファン（２０）から離れた前記第１導風板（１４１）と前記第２導風板（１４２）の部分の開始端には、前記係合部（１４５）と係合する係合溝（１４６）が設けられる、ことを特徴とする請求項１０に記載の携帯送風装置。
【請求項１３】
前記ブラケット（１０）は、少なくとも３つのファン（２０）と、それぞれこれらのファン（２０）を収納する少なくとも３つの収容室（１０１）と、それぞれこれらの収容室（１０１）と連通する少なくとも３つの風路（１０２）とを含み、少なくとも１つの前記風路（１０２）内に前記導風部材（１４）が設けられ、前記風路（１０２）を第１風路（１０２ａ）と第２風路（１０２ｂ）に分割する、ことを特徴とする請求項１〜４のいずれか一項に記載の携帯送風装置。
【発明の詳細な説明】
【技術分野】
【０００１】
本発明は、送風降温技術の分野に関し、特に携帯送風装置に関する。
【背景技術】
【０００２】
生活水準の向上に伴い、人々は生活の快適性及び利便性に対して更に高い要求を提出している。近年、ハンディファンやネックファンなどの様々なポータブルファンが市場に登場しており、いつでもどこでもユーザーに涼しい風を提供している。ユーザーの手でファンを持つ必要があるハンディファンと比較して、首に掛けられるネックファンは、ユーザーの両手を解放することができ、特にスポーツや戸外活動などの場合に人気を集めており、ユーザーにとって非常に便利である。
【０００３】
既存のネックファンは、人体の首に装着できるブラケット、及びブラケットに接続されたファンによって構成されている。前記ブラケット内には、風路、及び風路と外部を連通する風吹出口が形成される。前記ファンが回転すると、強制気流が形成される。前記気流は、風路に沿って流れ、最終的に風吹出口から首に吹く。しかしながら、既存のネックファンはすべて片側で風を吹出し、風の吹出範囲が比較的狭く、ユーザーのニーズを満たすことができない。
【発明の概要】
【０００４】
従来技術における欠点及び不足を克服するために、本発明の目的は、従来技術の１つ以上の問題を解決するための携帯送風装置を提供することである。
【０００５】
本発明の目的は、以下の技術的解決策によって実現される。
本発明は、人体の首に装着できる携帯送風装置を提供する。この携帯送風装置は、ブラケットと、このブラケット内に設けられたファンとを含む。このブラケット内には、このファンを収容するための収容室、及びこの収容室と連通する風路が設けられる。このブラケットには、ファンに対応する入風口がさらに設けられる。風路の側壁には風吹出口が設けられる。ファンの作動により発生する風は、風路を通過してから風吹出口から吹き出される。風路内には、導風部材が設けられ、この導風部材は、風路を第１風路と第２風路に分割する。第１風路及び第２風路の側壁にはいずれも風吹出口が設けられる。導風部材は、第１導風板と第２導風板を含む。ファンに近い第１導風板と第２導風板の端部が互いに接続される。ファンから離れた第１導風板と第２導風板の端部はそれぞれ風路の側壁に接続される。
【０００６】
さらに、第１風路の容積は第２風路の容積よりも小さい。
【０００７】
さらに、第２風路内にはガイドベーンがさらに設けられる。
【０００８】
さらに、ガイドベーンは、湾曲状を呈し、湾曲方向は、第２導風板から離反する。ファンに近いガイドベーンの端部は、ファンから離れたガイドベーンの端部よりも高い。あるいは、ガイドベーンはストレートな板状を呈し、ファンに近いガイドベーンの端部は、ファンから離れたガイドベーンの端部よりも高い。
【０００９】
さらに、ブラケットは第１筐体、第２筐体、及び第１筐体と第２筐体を接続する接続部を含む。第１筐体及び第２筐体内には、それぞれファン、収容室、風路、導風部材が設けられ、接続部内には半導体温度調整装置が設けられる。半導体温度調整装置は、接続部内に設けられた放熱部材、接続部の内側壁に設けられた熱伝導部材、放熱部材と熱伝導部材との間に粘着された半導体冷却シート、及び放熱部材の一端に設けられた放熱ファンを含む。
【００１０】
さらに、第１風路は、ファンから離れた端部からファンに向かって徐々に大きくなり、第２風路は、ファンから離れた端部からファンに向かって徐々に大きくなる。
【００１１】
さらに、ファンの軸心と収容室の中心とは互いに偏心して配置される。ファンと収容室の側壁との間に隙間が形成され、この隙間は、ファンの回転方向に沿って徐々に広くなり、隙間の両端の開口のうちの大きい方の開口が、第１風路に向いている。
【００１２】
さらに、第１風路と第２風路との間にキャビティが形成される。
【００１３】
さらに、携帯送風装置は電池をさらに含む。ブラケット内には、隔離板と収容キャビティがさらに設けられる。隔離板は、風路と収容キャビティを隔離する。電池は、収容キャビティ内に配置され、ファンに電気的に接続される。
【００１４】
さらに、導風部材は、第１導風板と第２導風板を接続する接続板をさらに含む。
【００１５】
さらに、接続板と風路の側壁との一方には位置決め柱が形成され、他方には位置決め孔が形成され、前記位置決め柱と互いに装着によって接続される。
【００１６】
さらに、第１導風板と第２導風板はそれぞれ２つの部分によって構成される。ファンに近い第１導風板と第２導風板の部分は、接続板に接続される。ファンから離れた第１導風板と第２導風板の部分は、風路の側壁に一体的に接続される。ファンに近い第１導風板と第２導風板の部分の末端には、係合部が設けられる。ファンから離れた第１導風板と第２導風板の部分の開始端には、係合部と係合する係合溝が設けられる。
【００１７】
さらに、ブラケットは、少なくとも３つのファンと、それぞれこれらのファンを収納する少なくとも３つの収容室と、それぞれこれらの収容室と連通する少なくとも３つの風路とを含む。少なくとも１つの風路内に導風部材が設けられて、風路を第１風路と第２風路に分割する。
【００１８】
本発明の有益な効果は、次のとおりである。本発明では、風路内に導風部材が設けられ、導風部材が風路を第１風路と第２風路に分割し、第１風路と第２風路の側壁にいずれも風吹出口が設けられ、ファンから吹出された風が導風部材によって第１風路と第２風路側壁上の風吹出口にガイドされて吹出され得る。それによって、携帯送風装置は両側で風を吹出し、風の吹出範囲がより広く、人体の様々な部位に吹き付けることができ、例えば、人体の後脳部及び後肩部／背部に吹き付けることができ、ユーザーのニーズをよりよく満たすことができ、ユーザーが使用するのに便利である。導風部材は、第１導風板と第２導風板を含む。ファンに近い第１導風板と第２導風板の端部は互いに接続され、ファンから離れた第１導風板と第２導風板の端部はそれぞれ風路の側壁に接続される。それにより、第１風路と第２風路の形状がそれぞれ限定され、ファンから離れた第１風路と第２風路の端部は、ファンに向かって徐々に大きくなり、押し出し風が発生して、ファンから離れる部位の風吹出口の風速を速くし、吹出された風が強くなる。
【図面の簡単な説明】
【００１９】
【図１】本発明の実施例１における携帯送風装置の構造模式図である。
【図２】本発明の実施例１における携帯送風装置の第１分解構造概略図である。
【図３】本発明の実施例１における携帯送風装置の第２分解構造概略図である。
【図４】本発明の実施例１における第１内筐体の側面構造概略図である；
【図５】本発明の実施例１における携帯送風装置の第３分解構造概略図である。
【図６】本発明の実施例２における第１内筐体の側面構造概略図である；
【図７】本発明の実施例３における携帯送風装置の第２筐体の分解構造模式図である。
【図８】図７の第２筐体の更なる分解構造模式図である。
【図９】本発明の実施例３における携帯送風装置の分解構造模式図である。
【図１０】本発明の実施例４における携帯送風装置の立体模式図である。
【図１１】図１０の携帯送風装置の接続部の立体模式図である。
【図１２】図１１の断面模式図である。
【図１３】図１１の分解概略図である。
【発明を実施するための形態】
【００２０】
所定の発明目的を達成するための、本発明が採用する技術的解決策及び効果をさらに説明するために、以下に、図面及び好ましい実施例を参照しながら、本発明に従って提案された携帯送風装置の具体的な実施形態、構造、特徴及び効果を詳細に説明する。
【００２１】
＜実施例１＞
図１〜図５に示すように、本発明の実施例１によって提供される携帯送風装置は、人体の首に装着でき、ブラケット１０と、ブラケット１０内に設けられたファン２０とを含む。ファン２０は遠心ファン（ターボファン）であることが好ましい。
【００２２】
本実施例では、ブラケット１０は全体的に「Ｃ」又は「Ｕ」字形を呈し、人体の首の弧度に適合する。ブラケット１０は、第１筐体１１、第２筐体１２、及び第１筐体１１と第２筐体１２を接続する接続部１３を含む。第１筐体１１と第２筐体１２は、接続部１３の両端に対称的に配置され、第１筐体１１と第２筐体１２の両方は弧形の湾曲構造を呈す。携帯送風装置の吹出風量を増加させるために、第１筐体１１と第２筐体１２内にはいずれも複数のファン２０が設けられ、例えば、第１筐体１１と第２筐体１２内にはいずれも２つのファン２０又は３つのファンが設けられる。接続部１３内には折り曲げ成形部材１３１が設けられる。折り曲げ成形部材１３１は、例えば、成形可撓管であり、折り曲げた後の接続部１３は、常に折り曲げたときの形状を維持することができる。
【００２３】
さらに、ブラケット１０の第１筐体１１と第２筐体１２内にはそれぞれ、各ファン２０に対応する収容室１０１、風路１０２、入風口１０３及び風吹出口１０４が設けられる。即ち、各ファン２０は、それに対応する収容室１０１、風路１０２、入風口１０３及び風吹出口１０４を有する。収容室１０１はファン２０を収容するために使用される。収容室１０１は、風路１０２及び入風口１０３とそれぞれ連通する。風路１０２の側壁にはいずれも風吹出口１０４が設けられる。ファン２０の作動により発生する風は、風路１０２を通過してから風吹出口１０４から吹出される。本実施例では、第１筐体１１と第２筐体１２の風路１０２は互いに独立して、連通していない。入風口１０３は、筐体（第１筐体１１、第２筐体１２）の左右側壁に配置され、風吹出口１０４は、風路１０２の上下側壁に配置される。風吹出口１０４は、細長い形状の風吹出孔である。好ましくは、風吹出孔の幅は、ファン２０の方向に向かって徐々に広くなる。当然のことながら、風吹出口１０４は複数の貫通孔を含むこともできる。ファン２０に近い端の貫通孔の孔径は、ファン２０から離れた端部の貫通孔の孔径よりも大きい。即ち、ファン２０に近くなるほど、貫通孔の孔径が大きく、ファン２０から離れるほど、貫通孔の孔径が小さい。それにより、ファン２０から離れた貫通孔での風速が増加する。
【００２４】
さらに、ブラケット１０の各風路１０２内には導風部材１４が設けられる。導風部材１４は、風路１０２の左右側壁を接続する。導風部材１４は、風路１０２を第１風路１０２ａと第２風路１０２ｂに分割する。第１風路１０２ａと第２風路１０２ｂの側壁にはいずれも風吹出口１０４が設けられる。導風部材１４によって、ファン２０から吹出された風は、風路１０２の上下側壁の風吹出口１０４にそれぞれガイドされる。導風部材１４は、第１導風板１４１と第２導風板１４２を含む。ファン２０に近い第１導風板１４１と第２導風板１４２の端部は互いに接続され、ファン２０から離れた第１導風板１４１と第２導風板１４２の端部はそれぞれ風路１０２の側壁に接続される。第１導風板１４１は、第１風路１０２ａの形状を限定するために使用され、それにより、第１風路１０２ａは、ファン２０から離れた端部からファン２０に向かって徐々に大きくなる。第２導風板１４２は、第２風路１０２ｂの形状を限定するために使用され、それにより、第２風路１０２ｂは、ファン２０から離れた端部からファン２０に向かって徐々に大きくなる。これは、第１風路１０２ａ及び第２風路１０２ｂにそれぞれ流入する気流に対して押し潰し効果を形成するため、気流はファン２０から離れる部位の風吹出口１０４でより速い風速及びより大きな風圧を有することができ、吹出された風が強くなる。
【００２５】
さらに、図４を参照されたい。導風部材１４は、「Ｖ」字形構造又は「Ｙ」字形構造を呈す。第１導風板１４１及び第２導風板１４２はいずれも湾曲構造である。第１導風板１４１は、第２導風板１４２から離れる側に向かって湾曲し、第２導風板１４２は、第１導風板１４１から離れる側に向かって湾曲する。第１風路１０２ａの容積は、第２風路１０２ｂの容積よりも小さい。即ち、風路１０２を占める第１風路１０２ａの割合は、風路１０２を占める第２風路１０２ｂの割合よりも小さい。ファン２０は遠心ファンであるため、２つの風路の容積を異なるサイズに設計することにより、２つの風路の入風量のバランスをとることができる。第２風路１０２ｂには湾曲状のガイドベーン１５がさらに設けられる。ガイドベーン１５の湾曲方向は、第２導風板１４２から離反し、即ち、ガイドベーン１５も、第２導風板１４２から離れる側に向かって湾曲する。ファン２０に近いガイドベーン１５の端部は、ファン２０から離れたガイドベーン１５の端部よりも高く、具体的に図４を参照されたい。ガイドベーン１５は、第２風路１０２ｂ内に進入する気流を分け／ガイドし、すべての風がファンに近い第２風路１０２ｂの風吹出口から流出ことを防止するために使用される。他の実施例では、ガイドベーン１５はストレートな板状に構成されてもよい。ファン２０に近いガイドベーン１５の端部は、ファン２０から離れたガイドベーン１５の端部よりも高い。即ち、ファン２０から離れたガイドベーン１５の端部は、ファン２０に近い端部よりも風路１０２の底壁に近い。
【００２６】
本実施例では、携帯送風装置は電池３０をさらに含む。ブラケット１０内には隔離板１６と収容キャビティ１０７がさらに設けられる。隔離板１６は、風路１０２と収容キャビティ１０７を隔離する。電池３０は、収容キャビティ１０７内に配置され、ファン２０に電気的に接続される。導風部材１４は、隔離板１６の板面に垂直に配置される。隔離板１６は、風路１０２に向いている側に風ガイド溝１６１が設けられる。好ましくは、風ガイド溝１６１は、ファン２０から離れた端部からファン２０に向かって徐々に大きくなる。
【００２７】
さらに、第１筐体１１は、第１外筐体１１ａと第１内筐体１１ｂを含み、第２筐体１２は、第２外筐体１２ａと第２内筐体１２ｂを含む。本実施例では、収容キャビティ１０７は、隔離板１６と外筐体（第１外筐体１１ａ、第２外筐体１２ａ）の間に位置し、電池３０は収容キャビティ１０７内に配置される。
【００２８】
本実施例では、ブラケット１０の第１筐体１１と第２筐体１２内にはいずれも円弧形の隔離部１７（図４）が設けられる。隔離部１７は各筐体（第１筐体１１と第２筐体１２）内の隣接する２つのファン２０の間に配置される。隔離部１７は、隣接する２つのファン２０に対応する風路１０２を隔離するために使用される。隔離部１７は、筐体の端部から離れたファン２０に対応する収容室１０１の側壁として機能する。他の実施例では、隔離部１７は板状又は他の形状に形成されてもよい。具体的には、図４に示すように、第１筐体１１を例にして、２つのファン２０はそれぞれ２つの収容室１０１内に配置され、隔離部１７は、一方のファン２０の収容室１０１と他方のファン２０の風路１０２を隔離する、即ち、２つのファン２０の風路１０２を隔離するために使用される。好ましくは、一方の風路１０２内の導風部材１４は隔離部１７に一体的に接続され、それにより、その導風部材１４の第１導風板１４１と第２導風板１４２のファン２０から離れた端部は、隔離部１７を介して風路１０２の上下側壁に間接的に接続され、隔離部１７は、ファン２０のうちの１つの近くに配置され、該ファン２０に向かって湾曲する。当然のことながら、他の実施例では、導風部材１４の第１導風板１４１と第２導風板１４２のファン２０から離れた端部は、風路１０２の上下側壁に直接接続することもできる。第１風路１０２ａと第２風路１０２ｂとの間にはキャビティ１０６が形成される。キャビティ１０６は、第１風路１０２ａ及び第２風路１０２ｂからそれぞれ隔離される。キャビティの構造は、ファン２０による風が導風部材１４と衝突することで発生したノイズを効果的に吸収することができる。
【００２９】
本実施例では、導風部材１４、ガイドベーン１５及び隔離部１７はいずれも内筐体（第１内筐体１１ｂ、第２内筐体１２ｂ）と一体的に成形される。当然のことながら、他の実施例では、導風部材１４、ガイドベーン１５及び隔離部１７はいずれも外筐体（第１外筐体１１ａ、第２外筐体１２ａ）と一体的に成形される。
【００３０】
さらに、携帯送風装置は回路基板４０をさらに含む。ブラケット１０にはスイッチボタン１８が設けられる。回路基板４０は、ファン２０、電池３０及びスイッチボタン１８にそれぞれ電気的に接続される。スイッチボタン１８はファン２０を制御するために使用される。本実施例では、スイッチボタン１８は、第１筐体１１に配置され、回路基板４０は、２つの隔離板１６の間に配置される。スイッチボタン１８は、ファン２０のオン、オフ及び風速を制御するために使用される。本実施例では、携帯送風装置には指示ランプ及び充電口（図示せず）などがさらに設けられ、ここでは説明しない。
【００３１】
他の実施例では、ブラケット１０内には、ファン２０に電気的に接続された回路基板４０が設けられる。回路基板４０には、駆動回路、及び駆動回路に接続されたコントローラが設けられる。ブラケット１０の外面には、タッチ制御操作領域が設けられる。ブラケット１０内のタッチ制御操作領域に対応する位置には、コントローラに電気的に接続されたタッチ感応素子が設けられる。タッチ感応素子は、タッチ制御操作領域で受信されたタッチ制御操作を検出するために使用される。コントローラは、タッチ制御操作に従って、ファン２０のオン又はオフを制御し、且つ／又はファン２０の回転速度を調整する。ユーザーはタップやスライドなどのタッチ制御操作によって、ファン２０のオン、オフ及び／又はモード切り替えの制御を実現することができるため、よりインテリジェントになり、操作がより便利になる。
【００３２】
具体的には、駆動回路は、コントローラに接続された電源スイッチ回路を含む。タッチ感応素子は、タッチ制御操作領域のタッチ制御操作データを取得し、タッチ制御操作データをコントローラに送信するために使用される。コントローラは、タッチ制御操作データに基づいて、電源スイッチ回路の導通又は遮断を制御する。あるいは、駆動回路は、コントローラに接続された速度調整回路と、速度調整回路に接続された駆動装置とを含む。タッチ感応素子は、タッチ制御操作領域のタッチ制御操作データを取得し、タッチ制御操作データをコントローラに送信するために使用される。コントローラは、タッチ制御操作データに基づいて、速度調整回路を制御して駆動装置の回転速度を調整し、そして、ファン２０の回転速度を調整する。
【００３３】
＜実施例２＞
図６は、本発明の実施例２における第１内筐体の側面構造概略図である。図６に示すように、本発明の実施例２によって提供される携帯送風装置は、実施例１（図１〜図５）の携帯送風装置と基本的に同じであるが、相違点は次のとおりである。本実施例では、第１筐体１１及び第２筐体１２内には、それぞれ１つファン２０、ファン２０と適合する１つの収容室１０１、１つの風路１０２、１つの導風部材１４、１つのガイドベーン１５、及び１つの隔離板１６のみが設けられ、収容室１０１の左右側壁には入風口１０３が設けられ、導風部材１４は、風路１０２を第１風路１０２ａ及び第２風路１０２ｂに分割し、第１風路１０２ａ及び第２風路１０２ｂの側壁にはいずれも風吹出口１０４が設けられる。本実施例では、第１筐体１１及び第２筐体１２内に隔離部１７を設ける必要がない。
【００３４】
＜実施例３＞
図７〜図９に示すように、本発明の実施例３によって提供される携帯送風装置は、実施例１（図１〜図５）の携帯送風装置と基本的に同じである。本実施例では、携帯送風装置も第１筐体１１、第２筐体１２、及び第１筐体１１と第２筐体１２を接続する接続部１３を含むが、相違点は次のとおりである。第１筐体１１及び第２筐体１２内には、それぞれ１つのファン２０、ファン２０と適合する１つの収容室１０１、１つの風路１０２、１つの導風部材１４、１つのガイドベーン１５、及び１つの隔離板１６のみが設けられ、収容室１０１の左右側壁には入風口１０３が設けられ、導風部材１４は、風路１０２を第１風路１０２ａと第２風路１０２ｂに分割し、第１風路１０２ａ及び第２風路１０２ｂの側壁にはいずれも風吹出口１０４が設けられる。本実施例では、第１筐体１１及び第２筐体１２の導風部材１４は、第１内筐体１１ｂ及び第２内筐体１２ｂ（即ち、風路１０２の側壁）にそれぞれ組み立てて固定される。このような分離式の設計によって、金型成形、ならびに第１内筐体１１ｂと第２内筐体１２ｂ及び導風部材１４の生産製造が便利になる。具体的には、導風部材１４は、第１導風板１４１と第２導風板１４２を接続する接続板１４３をさらに含む。接続板１４３は、略三角形を呈し、第１内筐体１１ｂ  ／第２内筐体１２ｂの内側壁（即ち、風路１０２の側壁）に固定される。第１導風板１４１と第２導風板１４２はそれぞれ、接続板１４３の両側縁から接続板１４３に対して垂直に延び、風路１０２の両側壁の間に挟まれる。好ましくは、ファン２０に向いている第１導風板１４１と第２導風板１４２の側端は一体的に接続されて、「Ｖ」字形を呈す。ファン２０から離れる方向において、第１導風板１４１は、第１筐体１１の上側壁に向かって傾斜して延び、第２導風板１４２は、第１筐体１１の下側壁に向かって傾斜して延びる。第１導風板１４１と第２導風板１４２との間の距離は、ファン２０から離れる方向に沿って徐々に大きくなる。それにより、気流の流れ方向に沿って（即ち、ファン２０から離れる方向に沿って）、第１風路１０２ａと第２風路１０２ｂの両方は漸減構造を呈し、通過する気流に対して押し潰し効果を形成するため、気流はファン２０から離れる部位の風吹出口１０４で速い風速及びより大きな風圧を有することができる。
【００３５】
さらに、第１内筐体１１ｂ／第２内筐体１２ｂの内側壁には位置決め柱１８が設けられ、それに対応して、接続板１４３には位置決め孔１９が設けられる。位置決め柱１８と位置決め孔１９は互いに装着されて、接続板１４３を第１内筐体１１ｂ／第２内筐体１２ｂの内側壁に固定する。本実施例では、導風部材１４の第１導風板１４１と第２導風板１４２はそれぞれ２つの部分によって構成される。一方の部分は、第１内筐体１１ｂ／第２内筐体１２ｂの内側壁に一体的に接続される。即ち、ファン２０から離れた部分は、第１内筐体１１ｂ／第２内筐体１２ｂの内側壁に一体的に接続される。他方の部分は、接続板１４３に接続される。具体的には、第１導風板１４１と第２導風板１４２のファン２０に近い末端には、「Ｌ」字形の係合部１４５が設けられる。第１導風板１４１と第２導風板１４２のファン２０から離れた部分の開始端には、「Ｌ」字形の係合溝１４６が設けられる。「Ｌ」字形の係合部１４５と「Ｌ」字形の係合溝１４６との係合によって、両者は組み立てて接続されて、一緒に完全な第１導風板１４１及び第２導風板１４２、即ち、導風部材１４を形成する。このような構造により、第１導風板１４１と第２導風板１４２の成形製造を便利にさせる
【００３６】
図７を参照されたい。本実施例では、ファン２０の軸心と収容室１０１の中心は互いに偏心して配置される。ファン２０と収容室１０１の側壁との間に隙間１０５が形成され、隙間１０５は「Ｃ」字形を呈す。隙間１０５は、ファン２０の回転方向に沿って徐々に広くなる。本実施例では、ファン２０の回転方向は時計回りの方向である。隙間１０５の両端の開口のうちの大きい方の開口は第１風路１０２ａに向いている。ファン２０によって生成される風は、風路１０２の下側壁に向かって斜めに吹く。即ち、ファン２０によって生成される風は、第２風路１０２ｂに流入する傾向がある。ファン２０によって生成される風の経路は、まず第１風路１０２ａの入口に進入し、次に第２風路１０２ｂの入口に到達することであるため、第１風路１０２ａの容積は、第２風路１０２ｂの容積より小さくなるように設計される。それにより、第１風路１０２ａと第２風路１０２ｂの入風量が同等である。
【００３７】
本実施例では、第１筐体１１と第２筐体１２はそれぞれ、回転構造によって接続部１３の両端に回転可能に接続される。即ち、第１筐体１１と第２筐体１２はそれぞれ接続部に対して回転して、第１筐体１１と第２筐体１２との間の幅を調整することができる。それにより、ユーザーは、携帯送風装置を人体の首に装着したり、首から外したりしやすい。接続部１３内には、半導体温度調整装置がさらに設けられる。半導体温度調整装置は、接続部１３内に設けられた放熱部材５１、接続部１３の内側壁に設けられた熱伝導部材５２、放熱部材５１と熱伝導部材５２との間に粘着された半導体冷却シート５３、及び放熱部材５１の一端に設けられた放熱ファン５４を含む。これにより、ユーザーはファン２０を通じて送風放熱し、また半導体温度調整装置を通じて冷却放熱を行うため、ユーザーの使用を便利にさせる。具体的には、接続部１３の内側壁には、放熱部材５１に対応する開口５５が設けられる。開口５５に取り付けケース５６が接続される。取り付けケース５６は、スナップなどの方式によって接続部１３の内側壁に固定することができる。取り付けケース５６には、半導体冷却シート５３を収容するための取り付け位置５７が設けられる。熱伝導部材５２は、人体の首に適している弧形を呈す。熱伝導部材５２は、例えば、スナップなどの方式によって取り付けケース５６の放熱部材５１から離れた側に接続される。放熱部材５１は、接続板、及び接続板から半導体冷却シート５３から離れる方向に延びて形成される複数の放熱シートを含む。複数の放熱シートは、間隔をおいて配置される。隣接する２つの放熱シートの間に放熱溝が形成される。長さ方向において、接続板の一端は、放熱シートを超えて延びる。放熱ファン２４の少なくとも一部は接続板の他端に位置し、それにより、放熱ファン５４の風吹出口は放熱溝に向いて、放熱シートを放熱する。取り付け後、半導体冷却シート５３の冷端面は、熱伝導部材５２に粘着され、半導体冷却シート５３の熱端面は、放熱部材５１の接続板に粘着される。接続部１３の外側壁には、放熱部材５１及び放熱ファン５４に対応して、放熱孔５８及び入気孔５９がそれぞれ設けられる。放熱部材５１によって生成された熱は、放熱孔５８から放出され、放熱ファン５４は、入気孔５９を通して空気を取り入れる。
【００３８】
半導体温度調整装置及び半導体温度調整装置の各アセンブリの間の正確な位置決めをさらに確実にするために、接続板には取り付け孔６１が設けられ、接続部１３の内側壁及び取り付けケース５６にはそれぞれネジ孔が設けられる。ネジはネジ孔及び取り付け孔６１を通過して取り付けケース５６に固定されることで、放熱部材５１は取り付けケース５６にロックされる。接続部１３の内側壁には位置決めシート６２がさらに設けられる。位置決めシート６２は、放熱ファン５４の側辺と当接して放熱ファン５４を取り付けて位置決めすることで、放熱ファン５４の取り付けを安定にさせるために使用される。
【００３９】
好ましくは、開口５５の外壁に装飾リング６３が設けられる。取り付けケース５６が接続部１３に接続される場合、装飾リング６３は、装飾作用を果たして、製品全体の美観性を向上させることができる。
【００４０】
さらに、放熱孔５８と入気孔５９との間には隔離シート６４が設けられる。隔離シート６４は、放熱部材５１と放熱ファン５４との間に位置する。隔離シート６４は、遮断作用を果たして、放熱部材５１によって生成された熱が放熱ファン５４の入風口に戻って放熱に影響を与えることを防止し、同時に、位置決めシート６２と一緒に放熱ファン５４を位置決めする。即ち、放熱ファン５４は、位置決めシート６２と隔離シート６４との間に挟まる。
【００４１】
具体的には、回転構造は、第１接続件７１と第２接続件７２を含む。第１接続件７１と第２接続件７２の一端は、回転軸と軸孔のピボット構造によって互いに適合して回転的に接続される。他端はそれぞれ、接続部１３及び第１筐体１１／第２筐体１２に固定接続され、例えば、ネジによって固定接続されるか又はスナップによって接続される。それにより、第１筐体１１と第２筐体１２はそれぞれ接続部に対して左右回転することができる。具体的には、第１接続件７１は、第１固定部と、第１固定部の一端に接続され、且つ間隔をおいて配置された２つの第１ピボット部とを含む。第１ピボット部には軸孔が設けられ、第２接続件７２は、第２固定部と、第２固定部の一端に接続された第２ピボット部とを含む。第２ピボット部には軸孔が設けられる。取り付け時に、第１固定部は接続部１３の端部内に延びて固定され、第２固定部は第１筐体１１及び第２筐体１２の端部内に延びて固定され、第２ピボット部は２つの第１ピボット部の間に延び、回転軸は軸孔に挿入される。それにより、回転接続が実現される。
【００４２】
好ましくは、回転構造は減衰部材をさらに含む。減衰部材は、接続部１３に対する第１筐体１１／第２筐体１２の回転の摩擦抵抗を増加させるために使用され、それにより、第１筐体１１／第２筐体１２は、接続部１３に対して任意の回転位置に安定して留まることができ、第１筐体１１／第２筐体１２が非外力作用下で接続部１３に対して回転することを回避する。示される実施例では、減衰部材は減衰リング７４である。２つの減衰リング７４が設けられる。２つの減衰リング７４はそれぞれ、第２ピボット部と２つの第１ピボット部との間に挟まる。
【００４３】
第１接続件７１と第２接続件７２の接続部分は、接続部１３及び第１筐体１１／第２筐体１２の外側に露出するため、製品の美観性に影響を与えないために、示される実施例では、回転構造の外側にシリコンケース７５が配置される。シリコンケース７５の両端はそれぞれ第１筐体１１及び第２筐体１２の端部に接続される。シリコンケース７５は軟質材料であり、回転構造の回転に伴って弾性変形するため、回転構造の回転に影響を与えない。製品の美観性を向上させるために、シリコンケース７５の両端の外面は、第１筐体１１及び第２筐体１２の外面とスムーズに遷移するように設定することができる。好ましくは、シリコンケース７５において、回転構造の回転変形に対応する位置に幾つかの凹溝７６を設けることができる。それにより、回転構造が回転すると、シリコンケース７５は、回転構造の変形に伴って湾曲して変形しやすい。
【００４４】
本実施例では、ファン２０の両側に対応する収容室１０１の側壁にはそれぞれ金属シート１１１が取り付けられる。入風口１０３は、金属シート１１１に設けられた入風口メッシュである。それにより、ユーザーの髪がファン２０内に巻き込まれることを効果的に防止する。
【００４５】
＜実施例４＞
図１０〜図１３に示すように、本発明の実施例４によって提供される携帯送風装置は、実施例１（図１〜図５）の携帯送風装置と基本的に同じである。本実施例では、携帯送風装置も第１筐体１１、第２筐体１２、及び第１筐体１１と第２筐体１２を接続する接続部１３を含むが、相違点は次のとおりである。第１筐体１１及び第２筐体１２内には、それぞれ１つのファン２０、ファン２０と適合する１つの収容室１０１、１つの風路１０２、１つの導風部材１４、１つのガイドベーン１５、及び１つの隔離板１６のみが設けられ、収容室１０１の左右側壁には入風口１０３が設けられ、導風部材１４は、風路１０２を第１風路１０２ａと第２風路１０２ｂに分割し、第１風路１０２ａ及び第２風路１０２ｂの側壁にはいずれも風吹出口１０４が設けられる。本実施例では、接続部１３は、折り曲げ成形部材１３１と、折り曲げ成形部材１３１を外側で覆う軟質ゴム部材１３２とを含む。この軟質ゴム部材１３２内には貫通孔１３２１が設けられる。この貫通孔１３２１は、軟質ゴム部材１３２の長さ方向に沿って軟質ゴム部材１３２を貫通する。折り曲げ成形部材１３１は貫通孔１３２１を貫通する。軟質ゴム部材１３２の両端にはそれぞれ硬質部材１３３がさらに設けられる。硬質部材１３３は、軟質ゴム部材１３２内に射出成形された固定部分１３３１と、軟質ゴム部材１３２の外側に露出している挿入接続部分１３３２とを含む。挿入接続部分１３３２は、第１筐体１１／第２筐体１２に接続するために使用される。折り曲げ成形部材１３１の両端はそれぞれ硬質部材１３３を通過してから第１筐体１１／第２筐体１２内に固定される。軟質ゴム部材１３２の両端に硬質部材１３３を射出成形することによって、硬質部材１３３の固定部分１３３１は、軟質ゴム部材１３２の両端で覆われる。その結果、固定部分１３３１を覆う軟質ゴム部材１３２の部分は容易に折り曲げて変形することがなく、接続部１３が折り曲げられるときの、軟質ゴム部材１３２の両端と第１筐体１１及び第２筐体１２との間の隙間の形成が効果的に防止される。
【００４６】
さらに、本実施例では、軟質ゴム部材１３２内にはゴム低減溝１３２２がさらに設けられる。具体的には、ゴム低減溝１３２２は、軟質ゴム部材１３２の長さ方向に沿って軟質ゴム部材１３２を貫通する。あるいは、ゴム低減溝１３２２は盲孔であり、軟質ゴム部材１３２の長さ方向に沿って、軟質ゴム部材１３２の側端から内側に延びる。あるいは、ゴム低減溝１３２２は、軟質ゴム部材１３２の内部の密閉キャビティである。軟質ゴム部材１３２内にゴム低減溝１３２２を追加することによって、軟質ゴム部材１３２の重量を軽減するとともに、軟質ゴム部材１３２の側壁を薄くして、柔らかくすることができ、ユーザーがより快適に着用できる。
【００４７】
好ましくは、貫通孔１３２１は、軟質ゴム部材１３２の中央に設けられる。２つのゴム低減溝１３２２が設けられ、それぞれ貫通孔１３２１の両側に位置する。それにより、ユーザーが着用するときに、首が内側又は外側に接触しても、柔らかく快適である。さらに、軟質ゴム部材１３２の片側又は両側の外面には、複数の凹孔１３４がさらに設けられる。凹孔１３４は、軟質ゴム部材１３２の長さ方向に沿って分布する。その結果、軟質ゴム部材１３２の側辺の外面は非平面構造であり、軟質ゴム部材１３２の外面と、それと接触する首との間の通気性が向上し、装着の快適性がさらに向上する。凹孔１３４は、軟質ゴム部材１３２の表面の内側に凹んだ盲孔であり、ゴム低減溝１３２２と連通していない。当然のことながら、他の実施例では、凹孔１３４は、ゴム低減溝１３２２と連通するように配置されてもよい。
【００４８】
具体的には、硬質部材１３３の挿入接続部分１３３２には固定孔１３３４が設けられる。挿入接続部分１３３２は、第１筐体１１／第２筐体１２内に挿入された後、固定孔１３３４をネジで通すことで、接続部１３と第１筐体１１／第２筐体１２とを固定接続することができる。硬質部材１３３は、金属材料又は硬質ゴム材料によって作られ得る。折り曲げ成形部材１３１は、金属可撓管又は金属成形ワイヤーであってもよい。
当業者は、上記の実施例２、３、４の他の構造及び動作原理は、実施例１のものと同じであり、ここでは繰り返さないことを理解すべきである。
【図１】
0006986795.tif 000002
【図２】
0006986795.tif 000003
【図３】
0006986795.tif 000004
【図４】
0006986795.tif 000005
【図５】
0006986795.tif 000006
【図６】
0006986795.tif 000007
【図７】
0006986795.tif 000008
【図８】
0006986795.tif 000009
【図９】
0006986795.tif 000010
【図１０】
0006986795.tif 000011
【図１１】
0006986795.tif 000012
【図１２】
0006986795.tif 000013
【図１３】
0006986795.tif 000014